(57)【要約】      （修正有）【課題】ロール状に巻き付けられている再接着式メモ紙に印刷が可能であるだけでなく、一領域に粘着部を有する印刷の際、メモ紙の粘着部による印刷部の汚染を防止するとともに、メモ紙のくっつきによってメモ紙の移動が阻止されて、誤作動が発生するのを防ぐ。【解決手段】再接着式メモ紙を収容する収容部１９と、収容部から引き出されたメモ紙が排出される排出口と、収容部から排出口の間にメモ紙の移動経路を形成するハウジング。移動経路に設けられ、排出口に排出されるメモ紙に印刷を行うサーマルヘッド３３と、ハウジングに収容されたメモ紙が引き出される際、メモ紙の回転方向の反対方向に回転し、サーマルヘッドと向き合うように配置され、メモ紙を移送させながら、メモ紙上に印刷が行われるようとするフィードローラ３５と、を有する印刷部。および、収容部と排出口との間の引出経路が屈曲するように、メモ紙の引出を案内するデカール部４１を含む。【選択図】図８
2018079683.tif 000002
【特許請求の範囲】
【請求項１】
少なくとも一領域に形成された粘着部が露出するようにロール状に巻き付けられている再接着式メモ紙を収容する収容部と、前記収容部から引き出された前記メモ紙が排出される排出口と、を含み、前記収容部から前記排出口の間に前記メモ紙の移動経路を形成するハウジング；および、
前記移動経路に設けられ、前記排出口に排出される前記メモ紙に印刷を行うサーマルヘッドと、前記ハウジングに収容された前記メモ紙が引き出される際、前記メモ紙の回転方向の反対方向に回転し、前記サーマルヘッドと向き合うように配置され、前記メモ紙を移送させながら、前記メモ紙上に印刷が行われるようとするフィードローラと、を有する印刷部を含む、再接着式メモ紙用プリンタ。
【請求項２】
前記移動経路に設けられ、前記収容部と排出口との間の移動経路が屈曲するように、前記メモ紙の引出を案内するデカール部を含む、請求項１に記載の再接着式メモ紙用プリンタ。
【請求項３】
前記デカール部は、
前記メモ紙が転がり運動するように回転可能なローラ状で構成されたスライドバーを含む、請求項２に記載の再接着式メモ紙用プリンタ。
【請求項４】
前記スライドバーは、前記メモ紙の粘着部と非粘着部に接触し、前記メモ紙を転がり運動させる、請求項３に記載の再接着式メモ紙用プリンタ。
【請求項５】
前記印刷部は、前記フィードローラの一側の前記メモ紙の引出経路と重ね合わせられる位置に配置され、段差が形成された固定部を含み、
前記固定部は、前記メモ紙の粘着部と非粘着部に対応する領域で段差を有する、請求項１に記載の再接着式メモ紙用プリンタ。
【請求項６】
前記メモ紙がロール状に巻き付けられている紙管の両端部の外径は、異なる大きさを有し、
前記収容部は、異なる外径を有する前記紙管の両端部に対応する内径の大きさを有する第１の取付溝および第２の取付溝を形成し、異なる外径を有する前記紙管は、前記第１の取付溝および前記第２の取付溝に回転可能に取り付けられる、請求項１に記載の再接着式メモ紙用プリンタ。
【請求項７】
前記収容部の前記メモ紙の回転中心軸線は、前記ハウジングの底に対して、前記デカール部の中心軸線よりも高く位置する、請求項１に記載の再接着式メモ紙用プリンタ。
【請求項８】
前記移動経路に設けられ、前記移動経路に沿って移動する前記メモ紙の垂れを防ぐ垂れ防止ガイドをさらに含む、請求項１に記載の再接着式メモ紙用プリンタ。
【請求項９】
前記メモ紙がスライド移動する前記垂れ防止ガイドの先端部は、前記ハウジングの底に対して、前記メモ紙の回転中心軸線の高さ以上の位置に位置する、請求項８に記載の再接着式メモ紙用プリンタ。
【請求項１０】
前記垂れ防止ガイドは、前記メモ紙の移動経路の一領域を形成し、前記デカール部を部分的に囲むように湾曲して形成される、請求項８に記載の再接着式メモ紙用プリンタ。
【請求項１１】
前記収容部に着脱可能に設けられ、前記メモ紙を収納し、前記メモ紙の中心を位置固定するカートリッジケースをさらに含む、請求項１に記載の再接着式メモ紙用プリンタ。
【請求項１２】
前記カートリッジケースは、
前記メモ紙を収納するメモ紙収納部；
前記メモ紙が回転可能に取り付けられるメモ紙ホルダ；および、
前記メモ紙収納部に収納された前記メモ紙を前記印刷部に供給するための引出口を含む、請求項１１に記載の再接着式メモ紙用プリンタ。
【請求項１３】
前記カートリッジケースの外側面および前記ハウジングの収容部の内側面のうち、いずれか一つに突出形成された突出突起；および、
前記カートリッジケースの外側面および前記ハウジングの収容部の内側面のうち、残りの一つに陥没形成され、前記突出突起が嵌め合わせられる嵌合溝をさらに含む、請求項１１に記載の再接着式メモ紙用プリンタ。
【請求項１４】
前記ハウジングの収容部は、前記ロール状に巻き付けられている再接着式メモ紙の粘着部に対応する位置に、前記粘着部と接触しないように段差が形成される、請求項１に記載の再接着式メモ紙用プリンタ。
【請求項１５】
前記ハウジングの収容部に収容され、前記ロール状に巻き付けられている再接着式メモ紙を収納するメモ紙バスケットをさらに含み、
前記メモ紙バスケットには、前記再接着式メモ紙の粘着部に対応する位置に、前記粘着部と接触しないように段差が形成される、請求項１に記載の再接着式メモ紙用プリンタ。
【請求項１６】
前記メモ紙がロール状に巻き付けられている紙管の両端部は、相互異なる長さで突出される、請求項１に記載の再接着式メモ紙用プリンタ。
【請求項１７】
前記メモ紙がロール状に巻き付けられている紙管の両端部の内径は、異なる大きさを有する、請求項１に記載の再接着式メモ紙用プリンタ。
【請求項１８】
前記カートリッジケースには外径の異なる段差を形成し、これに対応して、前記ハウジングの収容部には内径の異なる段差が形成される、請求項１１に記載の再接着式メモ紙用プリンタ。
【請求項１９】
前記カートリッジケースは、左右方向または上下方向に非対称的に形成され、これに対応して、前記ハウジングの収容部は非対称的に形成される、請求項１１に記載の再接着式メモ紙用プリンタ。
【請求項２０】
少なくとも一領域に形成された粘着部を含む再接着式メモ紙を収容する収容部と、前記収容部から引き出された前記メモ紙が排出される排出口と、を含むハウジング；
前記ハウジング内で巻き付けられている前記メモ紙が前記ハウジングの外に引き出される際、前記メモ紙の回転方向の反対方向に回転し、サーマルヘッドと向き合うように配置され、前記メモ紙を移送させながら、前記メモ紙上に印刷が行われるようとするフィードローラを有する印刷部；および、
前記収容部と排出口との間の引出経路が屈曲するように、前記メモ紙の引出を案内するデカール部を含む、再接着式メモ紙用プリンタ。
【発明の詳細な説明】
【技術分野】
【０００１】
本発明は、再接着式メモ紙用プリンタに係り、より詳細には、一領域に形成された粘着部が露出するようにロール状に巻き付けられている再接着式メモ紙に印刷可能な再接着式メモ紙用プリンタに関する。
【背景技術】
【０００２】
日常生活や学業または業務遂行に当たって、重要な内容を記憶するために、貼ったり剥がしたりを繰り返すことができる粘着性のある再接着式メモ紙を使用することができる。
【０００３】
従来、ユーザが粘着性のあるメモ紙に望む内容を直接筆記する方式で粘着性のあるメモ紙を使用してきた。この場合、筆記によっては表現し難いイメージ、表、グラフ、記号、図形、および写真などのコンテンツは、粘着性のあるメモ紙に記録することが困難であるという問題があった。
【０００４】
一方、プリンタは、印刷ヘッドを介してメモ紙に画像を印刷する。プリンタは、印刷方式によってドット方式、インクジェット方式、レーザー方式、熱転写方式、感熱方式などの多様な類型に分類し得る。
【０００５】
感熱方式のプリンタは、複数の発熱素子を選択的に発熱させるサーマルヘッド（ｔｈｅｒｍａｌ  ｈｅａｄ）を有し、サーマルヘッドが感熱メモ紙に直接接触し、熱を加えることにより印刷を行う。
【０００６】
このような感熱方式のプリンタは、メモ紙として、一般用紙の代わりに感熱紙のみを用いなければならないが、インク、トナーなどが不要で印刷原理が簡単であり、小型化、携帯化が可能となり、低コストの利点がある。
【０００７】
ところで、このような感熱方式のプリンタは、印刷されるメモ紙がロール状に巻き付けられているため、印刷されて排出されるメモ紙にカール（ｃｕｒｌ）が生じる。
【０００８】
これにより、サーマルヘッドでメモ紙に印刷する際、印刷品質が低下し、また、印刷されたメモ紙がプリンタの排出口を介して円滑に排出されず、詰まり易い現象が発生する。また、印刷されたメモ紙の一端部が捲れており、印刷されたメモ紙を綺麗に保管できなくなる。
よって、本出願人は、一領域に粘着部を有する再接着式メモ紙に印刷が可能であるだけでなく、メモ紙のカールを緩和して印刷品質を向上させることができる粘着部を有する再接着式メモ紙用プリンタを開発するに至った。
【発明の概要】
【発明が解決しようとする課題】
【０００９】
本発明は、上記した問題点を解決するためのものであり、ロール状に巻き付けられている再接着式メモ紙に印刷が可能であるだけでなく、一領域に粘着部を有する印刷の際、メモ紙の粘着部による印刷部の汚染を防止するとともに、メモ紙のくっつきによってメモ紙の移動が阻止されて、誤作動が発生するのを防ぐことができる再接着式メモ紙用プリンタを提供することを発明の目的とする。
【００１０】
そして、本発明は、メモ紙の収納方向を容易に識別可能であり、誤収納を防ぐことができる再接着式メモ紙用プリンタを提供することを発明の他の目的とする。
【課題を解決するための手段】
【００１１】
本発明の目的は、少なくとも一領域に形成された粘着部が露出するようにロール状に巻き付けられている再接着式メモ紙を収容する収容部と、前記収容部から引き出された前記メモ紙が排出される排出口と、を含み、前記収容部から前記排出口の間に前記メモ紙の移動経路を形成するハウジング；前記移動経路に設けられ、前記排出口に排出される前記メモ紙に印刷を行うサーマルヘッドと、前記ハウジングに収容された前記メモ紙が引き出される際、前記メモ紙の回転方向の反対方向に回転し、前記サーマルヘッドと向き合うように配置され、前記メモ紙を移送させながら、前記メモ紙上に印刷が行われるようとするフィードローラと、を有する印刷部；および、前記収容部と排出口との間の移動経路が屈曲するように、前記メモ紙の引出を案内するデカール部を含む、再接着式メモ紙用プリンタにより達成することができる。
【００１２】
ここで、前記移動経路に設けられ、前記メモ紙の粘着部の移動経路に対応する位置に、段差または転がり運動可能な機構を形成し、前記メモ紙が、前記メモ紙の巻き付けられた方向の反対方向に屈曲するように案内するデカール部を含むことができる。
【００１３】
また、前記印刷部は、前記フィードローラの上端に段差が形成された固定部を含むことができる。
【００１４】
前記メモ紙がロール状に巻き付けられている紙管の両端部の外径は、異なる大きさを有し、前記収容部は、異なる外径を有する前記紙管の両端部に対応する内径の大きさを有する第１の取付溝および第２の取付溝を形成し、異なる外径を有する前記紙管は、前記第１の取付溝および第２の取付溝に回転可能に取り付けられ得る。
【００１５】
前記収容部の前記メモ紙の回転中心軸線は、前記ハウジングの底に対して、前記デカール部の中心軸線よりも高く位置することができる。
【００１６】
前記移動経路に設けられ、前記移動経路に沿って移動する前記メモ紙の垂れを防ぐ垂れ防止ガイドをさらに含むことができる。
【００１７】
前記メモ紙がスライド移動する前記垂れ防止ガイドの先端部は、前記ハウジングの底に対して、前記メモ紙の回転中心軸線の高さ以上の位置に位置することができる。
【００１８】
前記垂れ防止ガイドは、前記メモ紙の移動経路の一領域を形成し、前記デカール部を部分的に囲むように湾曲して形成され得る。
【００１９】
前記収容部に着脱可能に設けられ、前記メモ紙を収納し、前記メモ紙の中心を位置固定するカートリッジケースをさらに含むことができる。
【００２０】
前記カートリッジケースは、前記メモ紙を収納するメモ紙収納部；前記メモ紙が回転可能に取り付けられるメモ紙ホルダ；および、前記メモ紙収納部に収納された前記メモ紙を前記印刷部に供給するための引出口を含むことができる。
【００２１】
前記カートリッジケースのメモ紙収納部は、カートリッジの内部面で段差を形成し、薄肉領域は、メモ紙の接着部と対応するように配置され、厚肉領域は、非接着部と対応するように配置され得る。
【００２２】
前記ハウジングの収容部は、前記ロール状に巻き付けられている再接着式メモ紙の粘着部に対応する位置に、前記粘着部と接触しないように段差が形成され得る。
【００２３】
前記ハウジングの収容部に収容され、前記ロール状に巻き付けられている再接着式メモ紙を収納するメモ紙バスケットをさらに含み、前記メモ紙バスケットには、前記再接着式メモ紙の粘着部に対応する位置に、前記粘着部と接触しないように段差が形成され得る。
【００２４】
前記メモ紙がロール状に巻き付けられている紙管の両端部は、互いに異なる長さで突出され得る。
【００２５】
前記メモ紙がロール状に巻き付けられている紙管の両端部の内径は、異なる大きさを有することができる。
【００２６】
前記カートリッジケースには、外径の異なる段差を形成し、これに対応して、前記ハウジングの収容部には、内径の異なる段差が形成され得る。
【００２７】
前記カートリッジケースは、左右方向または上下方向に非対称的に形成され、これに対応して、前記ハウジングの収容部は、非対称的に形成され得る。
【００２８】
前記カートリッジケースの外側面および前記ハウジングの収容部の内側面のうち、いずれか一つに突出形成された突出突起；および、前記カートリッジケースの外側面および前記ハウジングの収容部の内側面のうち、残りの一つに陥没形成され、前記突出突起が嵌め合わせられる嵌合溝をさらに含むことができる。
【００２９】
前記ハウジングの収容部は、前記ロール状に巻き付けられている再接着式メモ紙の粘着部に対応する位置に、前記粘着部と接触しないように段差が形成され得る。
【００３０】
また、本発明の目的は、少なくとも一領域に形成された粘着部が露出するようにロール状に巻き付けられている再接着式メモ紙を収容する収容部と、前記収容部から引き出された前記メモ紙が排出される排出口と、を含み、前記収容部から前記排出口の間に前記メモ紙の移動経路を形成するハウジング；前記移動経路に設けられ、前記排出口に排出される前記メモ紙に印刷を行うサーマルヘッドと、前記メモ紙の粘着部の移動経路に対応する位置に段差を形成するか、または転がり運動可能な機構を、前記ハウジングに収容された前記メモ紙が繰り出される前記メモ紙の回転方向の反対方向に回転し、前記サーマルヘッドを押圧し、前記メモ紙を移送するフィードローラと、を有する印刷部；前記移動経路に設けられ、前記メモ紙の粘着部の移動経路に対応する位置に、段差または転がり運動可能な機構を形成し、前記メモ紙が前記メモ紙の巻き付けられた方向の反対方向に屈曲するように案内するデカール部；および、前記移動経路に設けられ、前記移動経路に沿って移動する前記メモ紙の垂れを防ぐ垂れ防止ガイドを含み、前記収容部の前記メモ紙の回転中心軸線は、前記ハウジングの底に対して、前記デカール部の中心軸線よりも高く位置し、前記メモ紙がスライド移動する前記垂れ防止ガイドの先端部は、前記ハウジングの底に対して、前記メモ紙の回転中心軸線の高さ以上の位置に位置する、再接着式メモ紙用プリンタによっても達成することができる。
【発明の効果】
【００３１】
本発明によれば、ロール状に巻き付けられている再接着式メモ紙に印刷が可能であるだけでなく、一領域に粘着部を有するメモ紙のカールを緩和させて印刷品質を向上し、印刷されたメモ紙が円滑に排出され、排出されたメモ紙を綺麗に付着し保管することができる。また、印刷の際、メモ紙の粘着部による印刷部の汚染を防止するとともに、メモ紙のくっつきによってメモ紙の移動が阻止されて、誤作動が発生するのを防ぐことができる。
【００３２】
そして、メモ紙の収納方向を容易に識別可能であり、誤収納を防ぐことができる。
【図面の簡単な説明】
【００３３】
【図１】本発明の一実施例に係る再接着式メモ紙用プリンタの斜視図である。
【図２】図１の要部分解斜視図である。
【図３】図１の上部ハウジングが取り外された状態の斜視図である。
【図４】図１のハウジングとカートリッジケースの分解斜視図である。
【図５】図４の他の方向から見た分解斜視図である。
【図６】図３にメモ紙が取り付けられた状態の斜視図である。
【図７】図６の一側面図である。
【図８】本発明の一実施例に係る再接着式メモ紙用プリンタでメモ紙が印刷される経路を示す図である。
【図９】本発明の一実施例に係る再接着式メモ紙用プリンタでメモ紙の消耗によりメモ紙が印刷される経路を示す図である。
【図１０】図１のフィードローラの斜視図である。
【図１１】図１のデカール部の斜視図である。
【図１２】図１のカートリッジケースの斜視図である。
【図１３】上部ハウジングが分離された本発明の他の実施例に係る再接着式メモ紙用プリンタの斜視図である。
【図１４】本発明による再接着式メモ紙用プリンタに適用されるメモ紙の斜視図である。
【図１５】図１４の断面図である。
【図１６】図１５の多様な形状の紙管にメモ紙が結合された状態を示す図である。
【図１７】本発明の他の実施例であり、ハウジングの収容部の概略的な斜視図である。
【図１８】図１７の収容部に再接着式メモ紙が収容された状態を示す図である。
【図１９】本発明のさらに他の実施例であり、ハウジングの収容部にメモ紙バスケットが設置された状態図である。
【図２０】図１９のメモ紙バスケットに再接着式メモ紙が収容された状態を示す図である。
【発明を実施するための形態】
【００３４】
本発明の利点および特徴、そしてそれらを達成する方法は、添付の図面とともに詳細に後述されている実施例を参照すれば、明確になるだろう。しかしながら、本発明は、以下において開示される実施例に制限されるものではなく、互いに異なる様々な形態で具現され、単に、本実施例は、本発明の開示が完全なものとなるようにし、本発明の属する技術の分野における通常の技術者に本発明の範疇を完全に理解させるために提供されるものであり、本発明は、請求項の範疇により定義されるだけである。
【００３５】
本明細書で使用している用語は、実施例を説明するためのものであり、本発明を制限しようとするものではない。本明細書において、単数形は、文句において特に断らない限り、複数形も含む。明細書において使用される「含む（ｃｏｍｐｒｉｓｅｓおよび／またはｃｏｍｐｒｉｓｉｎｇ）」は、言及された構成要素の他に、一つ以上の他の構成要素の存在または追加を排除しない。明細書全体にわたって同一の図面符号は、同一の構成要素を示し、「および／または」は、言及された構成要素のそれぞれ、および一つ以上の全ての組み合わせを含む。たとえ「第１」、「第２」などが様々な構成要素を述べるために用いられるが、これらの構成要素は、このような用語により制限されないことは言うまでもない。このような用語は、単に一つの構成要素を他の構成要素と区別するために使用するものである。よって、以下において言及される第１の構成要素は、本発明の技術的思想内で第２の構成要素であり得ることは言うまでもない。
【００３６】
他に定義がなければ、本明細書において使用される全ての用語（技術および科学的用語を含む）は、本発明の属する技術の分野における通常の技術者が共通的に理解可能な意味として使用され得る。また、一般的に使用される辞書に定義されている用語は、特に明白に定義されていない限り、理想的または過度に解釈されない。
【００３７】
以下、添付図面を参照して、本発明について詳細に説明する。
【００３８】
説明に先立ち、様々な実施例において、同一の構成を有する構成要素については、同一の符号を使用し、代表的に一実施例で説明し、その他の実施例では、一実施例と異なる構成についてのみ説明することとする。
【００３９】
図１ないし図１２には、本発明の一実施例に係る再接着式メモ紙用プリンタが図示されている。
【００４０】
これらの図に示すように、本発明の一実施例に係る再接着式メモ紙用プリンタ１０は、ハウジング１１と、印刷部３１と、デカール部４１とを含む。
【００４１】
ハウジング１１はボックス状の形状を有する。ハウジング１１は、下部ハウジング１３と、上部ハウジング１５とが結合して形成される。
【００４２】
下部ハウジング１３は、上面が開放されたボックス形状であり、上部ハウジング１５は、下部ハウジング１３の開放された上面をカバーするように設けられる。
【００４３】
上部ハウジング１５は、下部ハウジング１３の上面を開閉可能に、下部ハウジング１３の一方の側に回転可能にヒンジ１７により結合され得る。
【００４４】
ここで、本実施例では、下部ハウジング１３と上部ハウジング１５とがヒンジ結合するものとして図示されているが、これに限定されず、上部ハウジング１５と下部ハウジング１３は、分離可能に結合されることもできる。すなわち、図示されていないが、下部ハウジング１３と上部ハウジング１５はそれぞれ、弾性結合突起と結合溝を有し、弾性結合突起が結合溝に挿入されることで、分離可能に結合されることもできる。または、下部ハウジング１３と上部ハウジング１５は、ねじ、ボルト、ピン、リベットなどの別途の締結部材により分離可能に結合されることもできる。
【００４５】
ハウジング１１は、一領域に形成された粘着部１０５（図１４を参照）が露出するようにロール状に巻き付けられている再接着式メモ紙１０１を収容する収容部１９を含む。収容部１９は、下部ハウジング１３の内側に設けられ、収容部１９には、メモ紙１０１を収納する後述のカートリッジケース５１が収容される。ここで、収容部１９には、カートリッジケース５１が収容されることなく、メモ紙１０１が収容部１９の内側に回転可能に取り付けられることもできる。
【００４６】
本実施例では、粘着部１０５が露出するようにロール状に巻き付けられているメモ紙１０１が収容部１９に収容されるものとして図示されているが、これに限定されず、収容部１９には、粘着部１０５が露出しないようにロール状に巻き付けられているメモ紙１０１が収容され得ることも予め明らかにしておく。
【００４７】
ハウジング１１の上面には、メモ紙１０１がハウジング１１の外部に排出される排出口２１が形成されている。排出口２１は、下部ハウジング１３と上部ハウジング１５との境界に形成され得る。具体的に、排出口２１は、下部ハウジング１３とヒンジ結合する上部ハウジング１５の一端部に対して反対側となる他端部と、上部ハウジング１５のその他端部に隣接して設けられた下部ハウジング１３の一端部と、が相互離隔して形成され得る。
【００４８】
ここで、図示されていないが、本実施例と異なり、排出口２１は、下部ハウジング１３の側面に形成され得ることは言うまでもない。
【００４９】
また、ハウジング１１は、収容部１９と排出口２１との間に、メモ紙１０１の移動経路（引出経路）を形成する。
【００５０】
印刷部３１は、メモ紙１０１の移動経路に設けられ、メモ紙１０１に画像を形成、例えば印刷を行う。
【００５１】
印刷部３１は、排出口２１に排出されるメモ紙１０１に印刷を行うサーマルヘッド３３と、サーマルヘッド３３との間に印刷ニップ（ｎｉｐ）を形成し、メモ紙１０１の巻き付けられた方向に回転し、サーマルヘッド３３を押圧するフィードローラ３５とを含む。
【００５２】
サーマルヘッド３３は、印刷ニップを通過するメモ紙１０１に熱を加えて、メモ紙１０１に画像が形成されるようにする。サーマルヘッド３３は、図示されていないが、複数の発熱素子を有し、複数の発熱素子のうち一部を選択的に発熱させることができる。複数の発熱素子は、複数の発熱抵抗体と、発熱抵抗体を発熱させる電極と、発熱抵抗体および電極を保護する保護層と、を含んで構成され得る。
【００５３】
メモ紙１０１は、サーマルヘッド３３が発熱すると、これに反応して発色することができる。一例として、メモ紙１０１は、サーマルヘッド３３により熱を受けた部分のみ黒色に変わることができる。このために、メモ紙１０１は感熱層１０７を含むことができる。
【００５４】
フィードローラ３５は、図１０に示すように、円筒状を有し、メモ紙１０１を移送し、メモ紙１０１を挟んでサーマルヘッド３３に押圧することができる。フィードローラ３５は、メモ紙１０１を押圧し、排出口２１に向かって排出させる。フィードローラ３５は、移送モーター（図示省略）から駆動力の伝達を受けて、回転軸３９を中心として回転する。具体的に、フィードローラ３５は、ハウジング１１に収容されたメモ紙１０１が繰り出されるメモ紙１０１の回転方向の反対方向に回転する。フィードローラ３５と移送モーターとの間には、動力伝達のための動力伝達ユニット（図示省略）が設けられることもできる。
【００５５】
ここで、図示はされていないが、フィードローラ３５の上端に固定部が存在し、段差が形成されており、固定部の高さの低い領域が粘着部と対応するように配置され、高さの高い領域は、非粘着部と対応するように配置され得る。
【００５６】
一方、フィードローラ３５は、一端部に段差部３７を形成し、回転軸３９に結合されている。メモ紙１０１の粘着部１０５の移動経路に対応する位置に配置されたフィードローラ３５の外周は、残りの外周に比べて、相対的に直径の小さい大きさを有する段差部３７を形成する。
【００５７】
また、印刷部３１は、フィードローラ３５の一方の側に、メモ紙１０１の移動経路と重ね合わせられる位置に配置され、メモ紙１０１の粘着部１０５と非粘着部に対応する段差が形成された固定部を含むことができる。
【００５８】
これにより、メモ紙１０１がサーマルヘッド３３とフィードローラ３５との間を通過して印刷される途中で、メモ紙１０１の粘着部１０５により印刷部３１が汚染されるのを防ぐことができるようになる。
【００５９】
ここで、メモ紙１０１の粘着部１０５の移動経路に対応する位置に配置されたフィードローラ３５の外周には、図示されていないが、他の実施例として、メモ紙１０１の粘着部１０５と摩擦力によって押圧接触することなく、自転可能に転がり接触（転び接触）する幅の小さいローリングホイールが設けられることもできる。
【００６０】
また、サーマルヘッド３３は下部ハウジング１３に設けられ、フィードローラ３５は上部ハウジング１５に設けられ得る。これにより、上部ハウジング１５を開放してメモ紙１０１を収容部１９に収容した後、収容部１９に収容されたメモ紙１０１の一部をサーマルヘッド３３の上側に位置させた状態で、上部ハウジング１５を閉鎖し、サーマルヘッド３３とフィードローラ３５との間にメモ紙１０１を位置させることができる。上部ハウジング１５を閉鎖することで、フィードローラ３５は、メモ紙１０１を挟んでサーマルヘッド３３と接し、印刷ニップを形成することができる。また、上部ハウジング１５を閉鎖することで、フィードローラ３５は、移送モーターから動力の伝達を受けることができるようになる。一方、このようなフィードローラ３５は、フィードローラ３５を通過する再接着式メモ紙１０１にメモ紙１０１の巻き付けられた方向と反対方向のカールを発生し、メモ紙１０１のカールを解消することができる。
【００６１】
デカール部４１は、収容部１９と印刷部３１との間のメモ紙１０１の移動経路に設けられる。デカール部４１において、メモ紙１０１はデカール部４１とスライド（滑り）接触する。例えば、ハウジング１１から繰り出されて印刷部３１に供給されるメモ紙１０１は、デカール部４１によりメモ紙１０１の回転方向の反対方向に屈曲するように案内される。これにより、印刷部３１に供給されるメモ紙１０１のカールを解消または緩和させる。
【００６２】
デカール部４１は、図１１に示すように、複数の単位スライドバー４５がスライドバー軸４３に間隔を置いて結合された構成を有る。各単位スライドバー４５は、円筒状を有し、複数の単位スライドバー４５のうち、メモ紙１０１の粘着部１０５の移動経路に対応する位置に配置された単位スライドバー４５は、他の単位スライドバー４５に比べて直径が相対的に小さい大きさの段差スライドバー４７を有する。これにより、デカール部４１は、メモ紙１０１の粘着部１０５の移動経路に対応する位置に、段差または転がり運動可能な機構を形成する。
【００６３】
また、スライドバー４５は、メモ紙１０１が転がり運動するように回転可能なローラ状で構成される。
【００６４】
これにより、メモ紙１０１の粘着部１０５が移動経路に沿って印刷部３１へ移動する途中で、デカール部４１の表面に粘着部１０５が接触しなくなり、メモ紙１０１とデカール部４１の接着によりメモ紙１０１の移動が阻止されて、誤作動が発生するのを防ぐことができるようになる。
【００６５】
ここで、他の実施例として、図示されていないが、デカール部４１は、軸に自転可能に結合された一つ以上のローラで構成されることもできる。このように、デカール部４１がローラで構成される場合、デカール部４１を通過するメモ紙１０１の粘着部１０５は、ローラが転がり運動することにより損傷されなくなる。
【００６６】
このようなデカール部４１により、印刷部３１に移送されるメモ紙１０１の平坦度が向上することにより、本発明の一実施例に係る再接着式メモ紙用プリンタ１０は、印刷品質を向上させることができ、メモ紙１０１がフィードローラ３５および排出口２１に詰まるメモ紙詰まり現象が防止され、印刷されたメモ紙１０１が円滑に排出され、排出されたメモ紙１０１を綺麗に付着し保管できるようになる。
【００６７】
ここで、本実施例でのデカール部４１は、複数の単位スライドバー４５と段差スライドバー４７がスライドバー軸４３に間隔を置いて結合されるものとして図示されているが、これに限定されず、デカール部４１は、一つの円筒状になるとともに、メモ紙１０１の粘着部１０５の移動経路に対応する位置に配置されたデカール部４１の外周は、残りのデカール部４１の外周に比べて、相対的に直径の小さい大きさを有する段差が形成されることもできる。
【００６８】
また、本実施例では、デカール部４１が収容部１９と印刷部３１との間のメモ紙１０１の移動経路に設けられるものとして図示されているが、これに限定されず、デカール部４１は、印刷部３１と排出口２１との間に設けられることもできる。
【００６９】
一方、以下においては、本発明による再接着式メモ紙用プリンタ１０に適用される再接着式メモ紙１０１について簡略に説明する。本発明のプリンタ１０に適用される再接着式メモ紙１０１は、図１４および図１５に示すように、基材１０３と、プリンタ１０により画像が印刷される感熱層１０７と、が積層される構造を有する。
【００７０】
基材１０３は、結合の基本となる材料であり、各種の紙類、プラスチック類などからなり得る。
【００７１】
基材１０３の一領域には、粘着剤が塗布された粘着部１０５が設けられる。粘着部１０５は、基材１０３の一側辺に沿って、例えば、メモ紙１０１の移動方向に沿って一定の幅で設けられる。粘着部１０５は、付着されたメモ紙１０１を再度剥がすことができ、剥がしたメモ紙１０１が再付着できるように適切な再粘着力を有する粘着剤が塗布される。ここで、本実施例では、粘着部１０５が基材１０３の一領域のみに設けられるものとして図示されているが、これに限定されず、粘着部１０５は、基材１０３の全領域に設けられることもできる。
【００７２】
感熱層１０７は、基材１０３の全面に感熱剤が塗布されて形成される。
【００７３】
感熱層１０７の一領域には、離型剤が塗布された離型層１０９が設けられる。離型層１０９は、メモ紙１０１がロール状に巻き付けられている状態で、粘着部１０５により基材１０３と感熱層１０７がくっつくようになる現象を防止し、メモ紙１０１が繰り出される過程で、基材１０３と感熱層１０７がよく離れるようにすることができる。離型層１０９は、シリコン樹脂、ポリビニールアルコール、パラフィン、ワックス類などの離型剤から形成され得る。
【００７４】
離型層１０９は、粘着部１０５が設けられた領域に対応するように設けられる。例えば、粘着部１０５が基材１０３の一領域のみに設けられる場合、離型層１０９は、感熱層１０７の一領域のみに設けられ得る。また、粘着部１０５が基材１０３の全領域に設けられる場合、離型層１０９は、感熱層１０７の全領域に設けられ得る。ここで、離型層１０９は、メモ紙１０１がロール状に巻き付けられる際に生じる整列誤差を考慮して、粘着部１０５の幅よりも大きく設けられることもできる。
【００７５】
本発明のプリンタ１０に適用されるメモ紙１０１は、紙管１１１の周りに沿って粘着部１０５が露出するようにロール状に巻き付けられている状態で設けられる。
【００７６】
一方、本発明の一実施例に係る再接着式メモ紙用プリンタ１０は、メモ紙１０１を収納し、メモ紙１０１の中心を位置固定するカートリッジケース５１をさらに含む。
【００７７】
カートリッジケース５１は、収容部１９に着脱可能に設けられる。カートリッジケース５１は、図１２に示すように、左右に分離可能に結合される第１のカートリッジケース５３と第２のカートリッジケース５７とを含む。
【００７８】
一例として、第１のカートリッジケース５３には係止突起５５が設けられ、第２のカートリッジケース５７には係止溝５９が設けられ、第１のカートリッジケース５３と第２のカートリッジケース５７は、係止突起５５が係止溝５９にフック結合して分離可能に結合され得る。ただし、第１のカートリッジケース５３と第２のカートリッジケース５７が分離可能に結合される方式は、これに制限されず、第１のカートリッジケース５３と第２のカートリッジケース５７は、ねじ結合により分離可能に結合されることもできる。
【００７９】
第１のカートリッジケース５３と第２のカートリッジケース５７は、同一の外径を有し、これにより、第１のカートリッジケース５３と第２のカートリッジケース５７は共に結合され、全体的に段差のない円筒状を形成する。また、第１のカートリッジケース５３と第２のカートリッジケース５７はそれぞれ、内部にメモ紙１０１が囲まれて収納されるメモ紙収納部６１を形成する。メモ紙収納部６１には、紙管１１１にロール状に巻き付けられているメモ紙１０１が収納され、この際、メモ紙１０１の粘着部１０５は外部に露出される。
【００８０】
一方、第１のカートリッジケース５３の内径は、第２のカートリッジケース５７の内径よりも大きく形成し、全体的に第１のカートリッジケース５３および第２のカートリッジケース５７が形成するメモ紙収納部６１は、拡径された段差を形成、例えば、離隔部５４を形成する。
【００８１】
そして、離隔部５４が形成された第１のカートリッジケース５３のメモ紙収納部６１側に、メモ紙１０１の粘着部１０５が位置するようにメモ紙１０１を収納することにより、メモ紙１０１の粘着部１０５が、メモ紙収納部６１に収納および移動経路に沿って印刷部３１へ移動する途中で、第１のカートリッジケース５３の内側に接触しなくなり、メモ紙１０１の移動が阻止されて、誤作動が発生するのを防ぐことができるようになる。
【００８２】
ここで、本実施例では、第１のカートリッジケース５３の内径が、第２のカートリッジケース５７の内径よりも大きく形成されるものとして説明しているが、これに限定されず、第２のカートリッジケース５７の内径が第１のカートリッジケース５３の内径より大きく形成され、この際、拡径された段差を形成した第２のカートリッジケース５７のメモ紙収納部６１側に、メモ紙１０１の粘着部１０５が位置するようにメモ紙１０１を収納することもできる。
【００８３】
また、第１のカートリッジケース５３と第２のカートリッジケース５７はそれぞれ、収納されたメモ紙１０１を位置固定し、回転可能に取り付けられるメモ紙ホルダ６３を含む。メモ紙ホルダ６３は、第１のカートリッジケース５３と第２のカートリッジケース５７それぞれの内側面に形成される。メモ紙ホルダ６３は、メモ紙の紙管１１１の両端部を回転可能に支持し、メモ紙１０１の回転中心軸線を形成する。
【００８４】
具体的に、メモ紙ホルダ６３は、円筒状を有し、第１のカートリッジケース５３と第２のカートリッジケース５７それぞれの内側面から突出し、メモ紙１０１が巻き付けられている紙管１１１の回転中心ホールの両端部が、メモ紙ホルダ６３にそれぞれ回転可能に取り付けられる。ここで、メモ紙ホルダ６３の形状は、これに限定されず、図示されていないが、メモ紙の紙管１１１の回転中心に円筒形シャフトを設け、メモ紙１０１の幅方向に沿って予め設定された長さ分だけ突出し、メモ紙ホルダ６３は、円筒形シャフトの両端が回転可能に収容される収容溝状を有するようにし、メモ紙１０１を回転可能に取り付けることもできる。
【００８５】
よって、メモ紙ホルダ６３は、メモ紙１０１の回転中心の位置を固定させることで、メモ紙１０１が消耗されて、巻き付けられているメモ紙１０１の半径が減少しても、回転中心の位置が変更されない。一方、メモ紙１０１の回転中心軸線を形成するメモ紙ホルダ６３は、ハウジング１１の底に対してデカール部４１の中心軸線よりも高い位置に位置する。
【００８６】
また、図示されていないが、第１のカートリッジケース５３および第２のカートリッジケース５７の各メモ紙ホルダ６３の外径を異にし、メモ紙１０１が巻き付けられている紙管１１１の両端部の内径を異にすることで、メモ紙１０１が巻き付けられている紙管１１１をカートリッジケース５１に収納して各メモ紙ホルダ６３に取り付ける際、メモ紙１０１の収納方向を容易に識別でき、誤収納を防ぐこともできる。
【００８７】
また、本実施例では、再接着式メモ紙１０１がカートリッジケース５１に収納されるものとして図示されているが、これに限定されず、再接着式メモ紙１０１は、図１８に示すように、ハウジング１１の収容部１９に直接取り付けられることもでき、この場合、ハウジング１１の収容部１９は、図１７に示すように、再接着式メモ紙１０１の粘着部１０５に対応する位置に段差１９ａを形成し、再接着式メモ紙１０１の粘着部１０５が、ハウジング１１の収容部１９の内側面に接触して損傷されるのを防ぐこともできる。
【００８８】
また、再接着式メモ紙１０１は、図２０に示すように、ハウジング１１の収容部１９に着脱可能に収容されるメモ紙バスケット２５に収納でき、この場合、メモ紙バスケット２５は、図１９に示すように、再接着式メモ紙１０１の粘着部１０５に対応する位置に段差２５ａを形成し、再接着式メモ紙１０１の粘着部１０５が、メモ紙バスケット２５の内側面に接触して損傷されるのを防ぐこともできる。
【００８９】
一方、カートリッジケース５１の一側には、メモ紙１０１を印刷部３１に供給するための引出口６５が形成されている。引出口６５は、カートリッジケース５１の長さ方向に沿って部分切り取られている。
【００９０】
また、カートリッジケース５１は、ハウジング１１に着脱するための着脱手段をさらに含む。
【００９１】
着脱手段は、図４および図５に示すように、第１のカートリッジケース５３および第２のカートリッジケース５７の外側面に突出形成された突出突起６７ａ、６７ｂと、ハウジング１１の収容部１９の内側面に陥没形成され、突出突起６７ａ、６７ｂが嵌め合わせられる嵌合溝６９ａ、６９ｂとを含む。
【００９２】
第１のカートリッジケース５３の外側面には、一つの四角柱状の第１の突出突起６７ａが一定の長さ分だけ突出形成されており、第２のカートリッジケース５７の外側面には、二つの第２の突出突起６７ｂが一定の長さ分だけ突出形成されている。
【００９３】
これに対応して、ハウジング１１の収容部１９の内側面には、第１のカートリッジケース５３および第２のカートリッジケース５７の各突出突起６７ａ、６７ｂに対応する位置に、それぞれ嵌合溝６９ａ、６９ｂが陥没形成されている。各嵌合溝６９ａ、６９ｂは、突出突起６７ａ、６７ｂの断面に対応する形状を有する。突出突起６７ａ、６７ｂおよび嵌合溝６９ａ、６９ｂの形状はこれに限定されず、様々な断面形状を有することができる。
【００９４】
これにより、カートリッジケース５１は、ハウジング１１の収容部１９に取付および固定され得る。また、第１のカートリッジケース５３と第２のカートリッジケース５７にそれぞれ備えられた突出突起６７ａ、６７ｂの数量を異にすることで、カートリッジケース５１をハウジング１１の収容部１９に取り付ける際、カートリッジケース５１の収納方向を容易に識別でき、誤取付を防ぐことができる。よって、メモ紙１０１がハウジング１１の収容部１９に誤収納されるのを防ぐことができる。
【００９５】
ここで、本実施例では、着脱手段として、突出突起６７ａ、６７ｂが第１のカートリッジケース５３および第２のカートリッジケース５７に突出形成され、嵌合溝６９ａ、６９ｂがハウジング１１の収容部１９の内側面に陥没形成されるものとして図示されているが、これに限定されず、突出突起６７ａ、６７ｂは、ハウジング１１の収容部１９の内側面に突出形成され、嵌合溝６９ａ、６９ｂは、第１のカートリッジケース５３および第２のカートリッジケース５７に陥没形成され、カートリッジケース５１をハウジング１１に着脱することもできる。
【００９６】
そして、本実施例では、カートリッジケース５１が同一の外径を有する円筒状に形成されるものとして図示されているが、これに限定されず、カートリッジケース５１に外径の異なる段差を形成し、これに対応して、ハウジング１１の収容部１９の内径を異にして形成し、ハウジング１１の収容部１９に段差を形成することもできる。これにより、カートリッジケース５１をハウジング１１の収容部１９に取り付ける際、カートリッジケース５１とハウジング１１の収容部１９の段差により、カートリッジケース５１の収納方向を容易に識別でき、誤取付を防ぐことができる。
【００９７】
また、図示されていないが、カートリッジケース５１を左右方向または上下方向に非対称的に形成し、これに対応して、ハウジング１１の収容部１９を非対称的に形成し、カートリッジケース５１がハウジング１１の収容部１９に誤取付されるのを防ぐことができる。
【００９８】
一方、本発明の一実施例に係る再接着式メモ紙用プリンタ１０は、移動経路に設けられ、デカール部４１へ移動するメモ紙１０１の垂れを防ぐ垂れ防止ガイド７１をさらに含む。
【００９９】
垂れ防止ガイド７１は、ハウジング１１に設けられ、メモ紙１０１の移動経路の一領域を形成し、デカール部４１を部分的に囲むように湾曲して形成される。垂れ防止ガイド７１がデカール部４１を部分的に囲んで形成されることにより、垂れ防止ガイド７１とデカール部４１との間の移動経路に沿って移動するメモ紙１０１は、デカール部４１により、緩く垂れなくなるとともに、デカール部４１により張力が与えられる。
【０１００】
垂れ防止ガイド７１の先端部７３では、メモ紙１０１がスライド移動する。垂れ防止ガイド７１の先端部７３は、ラウンドに（すなわち丸みをもった形に）形成され、ハウジング１１の底に対してメモ紙の回転中心軸線の高さ以上の位置に位置する。
【０１０１】
つまり、本発明の一実施例に係る再接着式メモ紙用プリンタ１０は、図８に示すように、カートリッジケース５１にロール状に巻き付けられてデカール部４１へ移動するメモ紙１０１が、ハウジング１１の上方から下方に向かって移動する構造を有するので、垂れ防止ガイド７１の先端部７３が、ハウジング１１の底に対してメモ紙の回転中心軸線の高さよりも低い場合、カートリッジケース５１に収納されたメモ紙１０１が消耗されて、巻き付けられているメモ紙１０１の回転半径が小さくなると、デカール部４１とカートリッジケース５１の引出口６５との間に位置するメモ紙１０１が緩くなり、垂れが生じることになる。これにより、デカール部４１に供給されるメモ紙１０１は、重ね合わせられ、デカールされる虞があり、また、印刷部３１へのメモ紙１０１の移動不良が生じるのみならず、印刷品質の不良をもたらす。
【０１０２】
よって、デカール部４１とカートリッジケース５１との間に垂れ防止ガイド７１を設け、垂れ防止ガイド７１の先端部７３は、ハウジング１１の底に対してメモ紙の回転中心軸線の高さ以上の位置に位置させることにより、図９に示すように、カートリッジケース５１に収納されたメモ紙１０１が消耗されて、巻き付けられているメモ紙１０１の回転半径が小さくなっても、デカール部４１とカートリッジケース５１の引出口６５との間に位置するメモ紙１０１は、垂れ防止ガイド７１により垂れが生じなくなり、印刷部３１へのメモ紙１０１の移動不良および印刷品質の不良を防ぐことができるようになる。
【０１０３】
ここで、本実施例では、垂れ防止ガイド７１がハウジング１１に設けられるものとして図示されているが、これに限定されず、垂れ防止ガイド７１は、カートリッジケース５１の引出口６５に隣接するようにカートリッジケース５１に設けられることもできる。
【０１０４】
また、本発明の一実施例に係る再接着式メモ紙用プリンタ１０は、カット部８１をさらに含むことができる。
【０１０５】
カット部８１は、図８に示すように、固定ナイフ８３と、モーター（図示省略）の駆動力により固定ナイフ８３に対して接近および離隔し、メモ紙１０１をカットする移動ナイフ８５を含むことができる。
【０１０６】
これにより、印刷部３１を通過した連続的なメモ紙１０１は、カット部８１により単位メモ紙１０１にカットされ得る。単位メモ紙１０１は、排出口２１を介してプリンタ１０の外部に排出され得る。
【０１０７】
このような構成により、本発明の一実施例に係る再接着式メモ紙用プリンタ１０は、図８に示すように、粘着部１０５が露出するようにロール状に巻き付けられている状態のメモ紙１０１がカートリッジケース５１から引き出され、垂れ防止ガイド７１を経て、デカール部４１により、屈曲しているメモ紙１０１のカールが緩和されるか、または平坦になりながら印刷部３１に供給され、印刷部３１のサーマルヘッド３３を介して画像などが印刷された後、排出口２１を介して排出される。
【０１０８】
一方、カートリッジケース５１から引き出されたメモ紙１０１は、垂れ防止ガイド７１により緩むことなくデカール部４１に供給され、デカール部４１は、印刷部３１に供給されるメモ紙１０１のカールを解消または緩和し、メモ紙１０１の平坦度が向上されることで、印刷部３１を介した印刷品質が向上するのみならず、メモ紙１０１が移動経路上で詰まる詰まり現象が防止され、印刷されたメモ紙１０１が円滑に排出され、排出されメモ紙１０１を綺麗に付着し保管できるようになる。
【０１０９】
一方、本発明の一実施例に係る再接着式メモ紙用プリンタ１０は、少なくとも一領域に形成された粘着部１０５が露出するように紙管１１１にロール状に巻き付けられているメモ紙１０１が、カートリッジケース５１に収納され、印刷部３１に供給するものとして図示されているが、これに限定されず、本発明の他の実施例に係る再接着式メモ紙用プリンタ１０は、紙管１１１にロール状に巻き付けられている再接着式メモ紙１０１は、カートリッジケースに収納されることなく、ハウジング１１の収容部１９に直接取り付けられることもできる。
【０１１０】
このように、紙管１１１にロール状に巻き付けられている再接着式メモ紙１０１をハウジング１１の収容部１９に直接取り付ける場合、図１６の（ａ）に示すように、紙管１１１の両端部を異なる外径Ｄ１、Ｄ２で形成し、図１３に示すように、ハウジング１１の内側面に、紙管１１１の両端部の異なる外径にそれぞれ対応する内径の大きさを有する第１の取付溝９１と第２の取付溝９３とを形成し、例えば、一例として、第１の取付溝９１の内径を第２の取付溝９３の内径よりも小さくすることができる。第１の取付溝９１と第２の取付溝９３には、メモ紙１０１が巻き付けられている紙管１１１が回転可能に取り付けられる。
【０１１１】
各取付溝９１、９３は、紙管１１１の各端部の外径Ｄ１、Ｄ２の幅で、ハウジング１１の上部面から一定の長さ分だけ長孔状に陥没形成され、各取付溝９１、９３に取り付けられるメモ紙の紙管１１１は、ハウジング１１の底に対して、デカール部４１のスライドバー４５、４７の中心軸線よりも高い位置でメモ紙１０１の回転中心軸線を形成し、回転することができる。
【０１１２】
これにより、紙管１１１の両端部を異なる外径で形成し、ハウジング１１の内側面に、紙管１１１の両端部の異なる外径にそれぞれ対応する第１の取付溝９１と第２の取付溝９３を形成することにより、ロール状に紙管１１１に巻き付けられているメモ紙１０１が、ハウジング１１の収容部１９に誤収納されるのを防ぐことができる。
【０１１３】
また、他の実施例として、図１６の（ｂ）に示すように、メモ紙１０１がロール状に巻き付けられている紙管１１１の両端部をそれぞれ互いに異なる長さＬ１、Ｌ２で突出させ、ロール状に紙管１１１に巻き付けられているメモ紙１０１が、ハウジング１１の収容部１９に誤収納されるのを防ぐこともできる。
【０１１４】
以上、添付の図面を参照し、本発明の実施例を説明したが、本発明の属する技術の分野における通常の技術者は、本発明がその技術的思想や必須の特徴を変更することなく、他の具体的な形態で実施できることが理解できるであろう。よって、上記した実施例は、全ての面において例示的なものであり、制限的なものではないと理解すべきである。
【符号の説明】
【０１１５】
１０：再接着式メモ紙用プリンタ
１１：ハウジング
１９：収容部
２１：排出口
３１：印刷部
３３：サーマルヘッド
３５：フィードローラ
３７：段差部
４１：デカール部
４７：段差スライドバー
５１：カートリッジケース
６１：メモ紙収納部
６３：メモ紙ホルダ
６５：引出口
６７ａ、６７ｂ：突出突起
６９ａ、６９ｂ：嵌合溝
７１：垂れ防止ガイド
９１：第１の取付溝
９３：第２の取付溝
【図１】
2018079683.tif 000003
【図２】
2018079683.tif 000004
【図３】
2018079683.tif 000005
【図４】
2018079683.tif 000006
【図５】
2018079683.tif 000007
【図６】
2018079683.tif 000008
【図７】
2018079683.tif 000009
【図８】
2018079683.tif 000010
【図９】
2018079683.tif 000011
【図１０】
2018079683.tif 000012
【図１１】
2018079683.tif 000013
【図１２】
2018079683.tif 000014
【図１３】
2018079683.tif 000015
【図１４】
2018079683.tif 000016
【図１５】
2018079683.tif 000017
【図１６】
2018079683.tif 000018
【図１７】
2018079683.tif 000019
【図１８】
2018079683.tif 000020
【図１９】
2018079683.tif 000021
【図２０】
2018079683.tif 000022